(57)【要約】      （修正有）【課題】実際の使用状態における目線に沿ったパッティングラインを示すことのできるパッティング練習具を提供する。【解決手段】パッティング練習具１は、ゴルフパター２のグリップ３の先端に着脱可能に取り付けた取付部４と、ここから延びている伸縮腕５と、この先に取り付けたレーザ照射器６とを備えている。伸縮腕５を調整してレーザ照射器６からの面状レーザ光Ｌによる照射ライン７が練習者の目の位置の真下に位置するようにする。この状態で、照射ライン７を目安にしてパッティングの練習を行えばよい。【選択図】図１
0003137581.tif 000002
【実用新案登録請求の範囲】
【請求項１】
ゴルフパターのグリップ先端部に取り外し可能に取り付ける取付部と、
この取付部から延びている腕部と、
この腕部の先端に取り付けたレーザ照射器とを有し、
このレーザ照射器は、発光点から一定の角度で発散する面状レーザ光を照射するものであることを特徴とするパッティング練習具。
【請求項２】
請求項１に記載のパッティング練習具において、
前記腕部は伸縮可能な腕部であることを特徴とするパッティング練習具。
【請求項３】
請求項１または２に記載のパッティング練習具が着脱可能に取り付けられているゴルフパターであって、
前記レーザ照射器からの面状レーザ光が、前記ゴルフパターのヘッドのフェイスに直交するように、前記レーザ照射器が取り付けられていることを特徴とするゴルフパター。
【請求項４】
請求項３に記載のゴルフパターにおいて、
前記面状レーザ光が、前記ヘッドのフェイスの前方および後方に所定の角度で発散するように、前記レーザ照射器が取り付けられていることを特徴とするゴルフパター。
【考案の詳細な説明】
【技術分野】
【０００１】
本考案は、レーザ光を利用したゴルフのパッティング練習具および、当該パッティング練習具が取り付けられているゴルフパターに関する。
【背景技術】
【０００２】
パッティングの練習のためにレーザ光を利用したものが知られている。特許文献１ではパターのヘッドにレーザダイオードを備えた照準装置を埋め込み、ここから照射されるレーザ光をホールに照準を合わせることによりパターフェイスの向きを確認しながら練習できるようになっている。特許文献２、３では、パターヘッドに取り外し可能に取り付けたレーザポインタからのレーザ光をホールに照準を合わせて練習できるようになっている。特許文献４においては、パターのグリップの下側位置にレーザ発光器を取り付けて、パターフェイスから直角に延びるレーザ光の照射ラインを見てパターフェイスが正確に所望の方向を向いていることを確認できるようになっている。
【特許文献１】実用新案登録第３０６７６８４号公報
【特許文献２】実用新案登録第３０５２５７５号公報
【特許文献３】実用新案登録第３０４９８６７号公報
【特許文献４】実用新案登録第３０６４７９９号公報
【考案の開示】
【考案が解決しようとする課題】
【０００３】
しかしながら、パターヘッドにレーザ発生器を取り付けたものは、スイング時にレーザ光が揺れてしまい、ラインの方向を確認することが困難である。また、パターグリップの下側にレーザ発光器が取り付けられている場合には、パターフェイスに直角な方向にレーザ照射ラインが形成されるが、パター練習者の実際の目の位置からパターフェイスを見た場合には、ラインを確認しずらいという問題点がある。
【０００４】
本考案の課題は、このような点に鑑みて、実際の使用状態における目線に沿ったパッティングラインを示すことのできるパッティング練習具を提案することにある。すなわち、パター練習者の実際の目の位置からパターフェイスを見た場合に、パターフェイスが目標とする方向に正確に向いているか否かを確認できるパッティング練習具、および当該パッテイング練習具が取り付けられているゴルフパターを提案することにある。
【課題を解決するための手段】
【０００５】
上記の課題を解決するために、本考案のパッティング練習具は、
ゴルフパターのグリップ先端部に取り外し可能に取り付ける取付部と、
この取付部から延びている腕部と、
この腕部の先端に取り付けたレーザ照射器とを有し、
このレーザ照射器は、発光点から一定の角度で発散する面状レーザ光を照射するものであることを特徴としている。
【０００６】
ここで、前記腕部は伸縮可能な腕部であることが望ましい。
【０００７】
また、本考案のゴルフパターは、上記構成のパッティング練習具が着脱可能に取り付けられているゴルフパターであって、
前記レーザ照射器からの面状レーザ光が、前記ゴルフパターのヘッドのフェイスに直交するように、前記レーザ照射器が取り付けられていることを特徴としている。
【０００８】
ここで、前記面状レーザ光が、前記ヘッドのフェイスの前方および後方に所定の角度で発散するように、前記レーザ照射器が取り付けられていることが望ましい。
【考案の効果】
【０００９】
本考案のパッティング練習具は、ゴルフパターのグリップ先端部に取り付けられる取付部から延びている所定長さの腕部の先端にレーザ照射器が取り付けられている。したがって、ゴルフパターに取り付けた状態においては、シャフトから横方に離れた位置にレーザ照射器が位置する。したがって、実際のパターを使用する場合の目の位置の真下にレーザ照射器を配置でき、目線と面状レーザ光を一致させることができる。よって、面状レーザ光によって形成されている照射ラインを確認することにより、フェイスが正しい方向を向いているのかを簡単かつ確実に確認できる。
【００１０】
腕部が伸縮可能な場合には、レーザ照射器の位置を調整できるので好ましい。また、面状レーザ光の照射ラインがフェイスの後方にも伸びるようにしておけば、テイクバックラインも確認できるので好ましい。
【考案を実施するための最良の形態】
【００１１】
以下に、図面を参照して、本考案を適用したパッティング練習具を説明する。
【００１２】
図１（ａ）および（ｂ）はパッティング練習具が取り付けられているゴルフパターを示す正面図および斜視図である。パッティング練習具１は、ゴルフパター２のグリップ３の先端部に着脱可能な状態で取り付ける取付部４と、この取付部４の側部から所定の角度で延びている伸縮腕５と、この伸縮腕５の先端部に取り付けられているレーザ照射器６とを備えている。
【００１３】
レーザ照射器６は下向きに取り付けられており、図に示すように、所定の角度で発散する面状レーザ光Ｌを射出する。伸縮腕５の長さを調整することにより、実際にゴルフパター２を握った状態において、面状レーザ光の照射ライン７をゴルフパター２のヘッド８のフェイス９の中心を直角に交差する状態に設定できる。
【００１４】
この照射ライン７を目安としてフェイス９の向きを目標とする方向に合わせることができる。これにより、パターフェイスを目標に対してスクエアーにすることができる。また、照射ライン７がパターフェイスの後方にも形成されるようにすれば、テイクバックラインも確認することができる。
【００１５】
したがって、本例のパッティング練習具１が取り付けられたゴルフパター２を用いれば、パッティング技術を格段に向上させることが可能である。
【図面の簡単な説明】
【００１６】
【図１】本考案を適用したパッティング練習具が取り付けられたゴルフパターを示す正面図および斜視図である。
【符号の説明】
【００１７】
１    パッティング練習具
２    ゴルフパター
３    グリップ
４    取付部
５    伸縮腕
６    レーザ照射器
７    照射ライン
８    ヘッド
９    フェイス
Ｌ    レーザ光
【図１】
0003137581.tif 000003